(57)【要約】【課題】微小位相回路で移送量を調整するために帯域フィルタ、検出回路、制御回路及びこれらのフィードバックループを変調器毎に必要としており、このため回路規模が大きくなって、LSIの中で実現するのに難点があり、このような回路を変調回路毎に組込むとコスト高になる。これらを解決したディジタル変調回路を提供すること。【解決手段】ディジタル変調回路を構成する半導体ICの内部に、位相調整回路を作り込み、変調回路の製造過程で又は変調回路の調整過程で位相調整回路で微小位相差を調整して設定し、ミキサに９０度位相差の搬送波を供給し、適切な変調精度を実現するディジタル変調回路。【選択図】    図１
2005184412.tif 000002
【特許請求の範囲】
【請求項１】
局部発振信号を入力し前記局部発振信号と同一の周波数で互いに９０度位相差を有する第１の信号及び第２の信号を出力する９０度位相回路と、ミキサ回路と、前記第１の信号及び第２の信号を基に前記ミキサ回路に互いに９０度の位相差の第３の信号及び第４の信号を供給する位相調整回路とを含むディジタル直交変調回路であって、ディジタル直交変調回路の製作工程又は調整工程において前記第３の信号及び前記第４の信号の位相差が互いに９０度になるように前記位相調整回路で位相調整されることを特徴とする請求項１記載のディジタル直交変調回路。
【請求項２】
前記位相調整回路は、前記第２の信号を入力し前記第４の信号を出力する第１の差動増幅器と前記第１の信号を入力し前記第３の信号を出力する第２の差動増幅器とを含む請求項１記載のディジタル直交変調回路。      
【請求項３】
前記第１の差動増幅器は、差動接続されたトランジスタ対とそのコレクタに接続された負荷抵抗と前記トランジスタ対のエミッタに接続された定電流源とを含み、前記第２の差動増幅器は、差動接続されたトランジスタ対とそのコレクタに接続された負荷抵抗と前記トランジスタ対のエミッタに接続された複数の並列接続の定電流源と前記定電流源を選択する手段とを含む請求項２記載のディジタル直交変調回路。
【請求項４】
前記選択手段によって前記第２の差動増幅器の差動接続されたトランジスタ対に供給する電流値を調整して前記第3の信号の位相を調整することを特徴とする請求項3記載のディジタル直交変調回路。
【請求項５】
前記複数の並列接続の定電流源の各々はその定電流値が異なる請求項３又は４記載のディジタル直交変調回路。
【請求項６】
前記複数の並列接続の定電流源の各々は２進数表現の各ビットに対応して重みの付いた定電流値である請求項３又は４記載のディジタル直交変調回路。
【請求項７】
前記選択手段は、前記定電流源の各々に直列に配列された開閉素子を有する請求項３、４、５又は６記載のディジタル直交変調回路。
【請求項８】
前記開閉素子は外部からの制御信号によって選択的に開閉する請求項７記載のディジタル直交変調回路。
【請求項９】
前記制御信号は前記２進数の各ビットに対応するビットパラレル信号である請求項８記載のディジタル直交変調回路。
【請求項１０】
前記選択手段は、前記定電流源の各々に直列に配列された回路開放素子である請求項３、４、５又は６記載のディジタル直交変調回路。
【請求項１１】
前記回路開放素子はフューズで構成された請求項１０記載のディジタル直交変調回路。
【請求項１２】
前記フューズが選択的に切断されて前記電流源を選択する請求項１１記載のディジタル直交変調回路。
【請求項１３】
前記第１の信号、前記第２の信号、前記第３の信号及び前記第４の信号がそれぞれ第１の差動信号、第２の差動信号、第３の差動信号及び第４の差動信号である請求項２から請求項１２のいずれかの請求項に記載のディジタル直交変調回路
【請求項１４】
局部発振信号を入力し前記局部発振信号と同一の周波数で互いに９０度位相差を有する第１の信号及び第２の信号を出力する９０度位相回路と、ミキサ回路と、前記第１の信号及び第２の信号を基に前記ミキサ回路に互いに９０度の位相差の第３の信号及び第４の信号を供給する位相調整回路とを半導体集積回路内に構成したディジタル直交変調回路の調整方法において、前記位相調整回路における位相調整をディジタル変調回路の製造過程又は調整過程で行うことを特徴とするディジタル直交変調回路の調整方法。
【請求項１５】
前記位相調整回路は、前記第２の信号を入力し前記第４の信号を出力する所定利得の第１の差動増幅器と、前記第１の信号を入力し前記第３の信号を出力する利得調整のできる第２の差動増幅器とを含む請求項１４記載のディジタル直交変調回路の調整方法。
【請求項１６】
前記第２の差動増幅器は差動接続されたトランジスタ対とそのコレクタに接続された負荷抵抗と前記トランジスタ対のエミッタに接続された複数の並列接続の定電流源と前記定電流源を選択する手段とを含む請求項１５記載のディジタル直交変調回路の調整方法。
【請求項１７】
前記選択手段によって前記差動接続されたトランジスタ対に供給する電流値を調整して前記第3の信号の位相を調整することを特徴とする請求項１６記載のディジタル直交変調回路の調整方法。
【請求項１８】
前記複数の並列接続の定電流源の各々はその定電流値が異なる請求項１６又は１７記載のディジタル直交変調回路の調整方法。
【請求項１９】
前記複数の並列接続の定電流源の各々は２進数表現の各ビットに対応して重みの付いた定電流値である請求項１６又は１７記載のディジタル直交変調回路の調整方法。
【請求項２０】
前記選択手段は、前記定電流源の各々に直列に配列された開閉素子を有する請求項１６、１７又は１８記載のディジタル直交変調回路の調整方法。
【請求項２１】
前記開閉素子は外部からの制御信号によって選択的に開閉させる請求項２０記載のディジタル直交変調回路の調整方法。
【請求項２２】
前記制御信号は前記２進数の各ビットに対応するビットパラレル信号である請求項２１記載のディジタル直交変調回路の調整方法。
【請求項２３】
前記選択手段は、前記定電流源の各々に直列に配列されたフューズである請求項１６，１７又は１８記載のディジタル直交変調回路の調整方法。
【請求項２４】
前記フューズが選択的に切断されて前記電流源を選択する請求項２３記載のディジタル直交変調回路。
【発明の詳細な説明】
【技術分野】
【０００１】
本発明は、ディジタル変調回路に関し、特に移動体通信の送信系に使用されるディジタル直交変調回路に関する。
【背景技術】
【０００２】
ディジタル変調回路の主特性の１つである変調精度は、同相変調信号用の混合器（ミキサ）および直交変調信号用の混合器（ミキサ）に各々９０度の位相差で局部部発信信号を供給する９０度位相回路の特性に左右される。
【０００３】
設計上は位相回路が正確に９０度の位相差を与えるように設計しても、実際の変調回路では、設計上の変調精度が実現できない場合が多い。これは、局部発振器から位相回路へ、位相回路から混合器へ信号を供給する経路の配線などの影響で位相差が９０度からずれ直交変調のバランスが崩れるためである。
【０００４】
このため、９０度位相回路の出力の位相を微調整する位相調整回路を設け、混合器に供給される位相差が９０度となるような工夫が行われている。
【０００５】
図６は、特開平５−３２７８０８号公報（特許文献１）に開示されたこの種の従来技術の直交変調器である。図において、直交変調器は、同相変調信号と局部発振器信号とを混合する第１のミキサ１と、局部発振信号の位相を９０度移送する位相器２、その出力の位相を調整する微小位相回路３、微小位相回路の出力と直交変調信号とを混合する第２のミキサ４とを含み、微小位相回路３で、第２のミキサ４に供給する搬送波の位相を第１のミキサのそれに対して正確に９０度となるように調整している。そしてその調整のために、第１のミキサ１および第２のミキサ４の出力を加算器５で加算した直交変調器の出力を帯域フィルタ（BPF）６を通して検波回路７でモニターし、検波回路出力レベルを基に制御回路８で制御信号を発生させ、微小位相回路を自動的に制御している。
【０００６】
【特許文献１】特開平５−３２７８０８号公報
【発明の開示】
【発明が解決しようとする課題】
【０００７】
従来のこの種変調回路は、微小位相回路で位相量を調整するために帯域フィルタ、検出回路、制御回路及びこれらのフィードバックループを変調器毎に必要としている。このため回路規模が大きくなり、LSIの中で実現するのに難点がある。また、このような回路を変調回路毎に組込むとコスト高になる。
【０００８】
この発明は、変調回路を構成する半導体ICの内部に、位相調整回路を作り込み、変調回路の製造過程で又は変調回路の調整過程で位相調整回路の調整量を設定することで、２つの混合器に９０度位相差の搬送波を供給し、変調精度を実現することのできるディジタル変調回路を提供することにある。
【課題を解決するための手段】
【０００９】
本発明によれば、局部発振信号を入力し前記局部発振信号と同一の周波数で互いに９０度位相差を有する第１の信号及び第２の信号を出力する９０度位相回路と、ミキサ回路と、第１の信号及び第２の信号を基に前記ミキサ回路に互いに９０度の位相差の第３の信号及び第４の信号を供給する位相調整回路とを含むディジタル直交変調回路であって、ディジタル直交変調回路の製作工程又は調整工程において前記第３の信号及び前記第４の信号の位相差が互いに９０度になるように前記位相調整回路で位相調整されることを特徴とするディジタル直交変調回路が得られる。
【００１０】
位相調整回路は、第２の信号を入力し第４の信号を出力する第１の差動増幅器と第１の信号を入力し第３の差動信号を出力する第２の差動増幅器とを含を有する。
【００１１】
本発明を具体的な視点よれば、第２の差動増幅器は、差動接続されたトランジスタ対とそのコレクタに接続された負荷抵抗とトランジスタ対のエミッタに接続された複数の並列接続の定電流源と定電流源を選択する手段とを含む。
【００１２】
複数の並列接続定電流源の各々は２進数表現の各ビットに対応して重みの付いた定電流値である。
【００１３】
選択手段は、前記定電流源の各々に直列に配列された開閉素子を含む。
【００１４】
開閉素子は外部からの制御信号によって選択的に開閉する。
【００１５】
前記制御信号は前記２進数の各ビットに対応するビットパラレル信号である
選択手段は、前記定電流源の各々に直列に配列されたフューズであってもよい。フューズが選択的に切断されて電流源を選択する。
【００１６】
この発明によれば、また、局部発振信号を入力し前記局部発振信号と同一の周波数で互いに９０度位相差を有する第１の信号及び第２の信号を出力する９０度位相回路と、ミキサ回路と、第１の信号及び第２の信号を基にミキサ回路に互いに９０度の位相差の第３の信号及び第４の信号を供給する位相調整回路とを半導体集積回路内に構成したディジタル直交変調回路の調整方法において、位相調整回路における位相調整をディジタル変調回路の製造過程又は調整過程で行うことを特徴とするディジタル直交変調回路の調整方法が得られる。
【発明の効果】
【００１７】
本発明では、ミキサに供給される搬送波の位相が互いに９０度差となるように位相調整回路を設け、製造段階あるいは調整段階で位相を微調整して設定できるから、ディジタル直交変調回路を携帯電話などの移動機に組込んで使用するときには位相を微調整するためのフィードバックループをなくすることができる。
【００１８】
本発明では、ディジタル変調回路の位相特性微調整のために変調出力を常にモニターしフィードバックする構成をとらなくとも、位相調整のため多くの時間をかけずに、設計通りの位相特性を容易に得ることができる。
【００１９】
本発明のディジタル変調回路は、半導体集積回路内に位相調整回路を含めて実現するので、回路素子にばらつきがあり位相特性に影響を及ぼす場合にも、位相調整回路で調整された位相差の搬送波をミキサに供給できる。
【００２０】
本発明では、位相調整回路でミキサに供給される搬送波の位相差を製造段階又は調整段階で９０度になるように微調整して設定できるから、９０度位相回路で正確に位相差が９０度となるようにトランジスタ、抵抗の素子サイズを大きくして相対精度を高めることは必ずしも必要でなくなる。また、SSBミキサとのインタフェースとなるアルミニュウム配線の均等化のための合わせ込み作業を比較的単純化できる。
【発明を実施するための最良の形態】
【００２１】
本発明の実施の形態について図を参照して説明する。
【実施例１】
【００２２】
図１は本発明の第１の実施例を示すブロック図である。同図において、本発明のディジタル変調回路は、９０度位相回路１０、位相調整回路２０１及びSSB（Single Side Band）ミキサ回路３０を有する。９０度位相回路１０は、局部発振器（図示せず）から差動信号である局部発振信号Loをライン５０a及び５０bで受け、互いに９０度の位相差を有する２つの信号を位相調整回路２０１に供給する。これら２つの信号の各々は差動出力信号で第１の差動信号POIN及びPOIBはライン５２a及び５２ｂ経由で、第２の差動信号POQN及びPOQBはライン５１a及び５１ｂ経由で位相調整回路２０１に供給される。位相調整回路では、第１の差動信号（POIN及びPOIB）及び第２の差動信号（POQN及びPOQB）を受け、ディジタル直交変調回路の変調精度がよくなるように位相差が調整され、それぞれ第３の差動信号LOIN及びLOIBをライン５４a及びライン５４bで、第４の差動信号LOQN及びLOQBをライン５３aおよびライン５４ｂで、SSBミキサ回路３０に供給する。
【００２３】
なお、上述の信号に付した各符号の最後の文字NとBは、その信号の極性が異なることを示す。すなわち、POINとPOIBは差動信号で極性が反転していることを表している。上述の他の符号についても、後に出てくる他の符号についても同様である。
【００２４】
SSBミキサ回路は、ベースバンドI/Q信号すなわち同相変調信号（I信号）を第５の差動信号IN及びIBとしてライン５６a及び５６ｂで、直交変調信号（Q信号）を第６の差動信号QN及びQBとしてライン５５aおよび５５b経由で受け、搬送波としての第３の差動信号（LOIN及びLOIB）及び第４の差動信号（LOQN及びLOQB）とそれぞれ乗算して、結果を加算し、変調（MOD）出力を差動出力形式でライン５７a及びライン５７bに出力する。
【００２５】
図２は、位相調整回路の回路構成を示す図である。同図において、位相調整回路２０１は、大きく分けて差動増幅器６０及び差動増幅器７１を有する。差動増幅器６０は、９０度位相回路から供給される第２の差動信号（POQN及びPOQB）を入力し、増幅して第４の差動信号（LOQN及びLOQB）を出力する増幅器である。差動増幅器７１は９０度位相回路１０から供給される第１の差動信号（POIN及びPOIB）を入力し、所定のゲインで増幅して第３の差動信号（LOIN及びLOIB）を出力する増幅器である。また、差動増幅器６０及び71は振幅制限機能を有する増幅器が望ましい。
【００２６】
差動増幅器６０は、差動接続されたトランジスタペア１１a、１１b、このトランジスタペアの双方のコレクタと電源（VDD）との間に接続された同じ値の抵抗２１a、２１b及びトランジスタペア１１a、１１bの結合エミッタと接地（GND）との間に接続された定電流原３１とを有する。
【００２７】
他方、差動増幅器７１は、差動接続されたトランジスタペア１２a、１２b、このトランジスタペアの双方のコレクタと電源（VDD）との間に接続された同じ値の抵抗２２a、２２b及びトランジスタペア１２a、１２bの結合エミッタと接続された複数の定電流源３２１〜３２４を有する。各定電流源３２１〜３２４は、トランジスタペア１２a、１２ｂのエミッタと接地（GND）との間に、各々スイッチ４１１〜４１４を介して並列に接続されている。
【００２８】
各々のスイッチ４１１〜４１４は、外部から供給される制御信号を受ける。制御信号はN（正の整数）ビット構成で、ライン５９１〜５９４に供給される各ビット情報に応じて各ビットに対応したスイッチが閉じる（又は開く）。
【００２９】
図３は、SSBミキサ回路の回路構成を示す。同図において、SSBミキサ回路３０は、２つの混合器を有する。第1の混合器は、差動トランジスタ対１５a、１５b及び差動トランジスタ対１６a、１６ｂと、抵抗２４bを介してエミッタ間を接続した差動トランジスタ対１８a、１８bと、各エミッタと接地との間に接続された定電流源３４a、３４ｂとを有する。第２の混合器は、差動対トランジスタ１３a、１３ｂ及び差動トランジスタ１４a、１４bと、エミッタ間に抵抗２４aを有する差動トランジスタ対１７a、１７bと、各エミッタと接地との間に接続された定電流源３３a、３３ｂとを有する。
【００３０】
位相調整回路２０１から供給される第４の差動信号（LOQN及びLOQB）が差動トランジスタ対１５a、１５b及び差動トランジスタ対１６a、１６bのベースに入力し、位相調整回路２０１から供給される第３の差動信号（LOIN及びLOIB）が差動トランジスタ対１３a、１３b及び差動トランジスタ対１４a、１４bのベースに入力する。トランジスタ１３a、１４a、１５a、１６aのコレクタは、共通接続されて抵抗２３aを介して電源（VDD）と接続されている。また、トランジスタ１３ｂ、１４ｂ、１５ｂ、１６ｂのコレクタは、共通接続されて抵抗２３ｂ（抵抗値は２３aの抵抗値と等しい）を介して電源（VDD）と接続されている。
【００３１】
差動トランジスタ対１８a、１８bのベースには、ベースバンド回路（図示せず）から直交（Q）信号（QN、QB）が供給され、他方、差動トランジスタ対１７a、１７ｂのベースには同相（I）信号（IN、IB）が差動入力として供給されている。
【００３２】
第１の混合器の差動対の1つのトランジスタ１５aと他の差動対の1つのトランジスタ１６aの各コレクタ及び第2の混合器の差動対の1つのトランジスタ１３aと他の差動対の1つのトランジスタ１４aの各コレクタは共通に接続され、各コレクタ出力は加算され、抵抗２３a接続されている。また、第１の混合器のトランジスタ対１５ｂ、１６ｂの各コレクタ及び第2の混合器の１３ｂ、１４ｂの各コレクタは共通に接続され、各コレクタ出力は加算され、抵抗２３a接続されている。抵抗２３a及び抵抗２３ｂの一端から変調出力（N、B）が差動形式でライン５７a及び５７ｂから出力する。
【００３３】
次に、本発明の位相調整について、発明の主要部である位相調整回路２０を中心に説明する。
【００３４】
図２を再び参照すると、位相調整回路２０の差動増幅器６０は、９０度位相回路１０からライン５１a、５３ｂ経由で第２の差動信号（POQN及びPOQB）を入力し、予め定められた定電流源の下に固定利得で増幅し、第４の差動信号（LOQN及びLOQB）としてライン５３a、５３ｂに出力する。そして、その利得は、定電流源31の電流値と抵抗２１a、２１bによって決まる。
【００３５】
一方、差動増幅器７１は、９０度位相回路１０から、第２の差動信号とは９０度位相差を有する第１の差動信号をライン５２a、５２b経由で入力し、増幅して第３の差動信号を生成しライン５４a、５４ｂに出力する。差動増幅器７１は、その定電流源の電流値を調整することによって、出力信号の位相を調整することができる。すなわち、電流値によってトランジスタ１２a、１２ｂのエミッタ抵抗が変化するので、出力信号の立上り及び立下り時間を可変することができる。このため第3の差動信号に対して第４の差動信号の遅延量を制御でき、結果として第４の差動信号の位相を制御することができる。差動増幅器７１には、差動トランジスタ対１２a、１２bの結合エミッタとGNDとの間に定電流源とスイッチの直列接続構成が並列に複数配置されている。そして、これらスイッチのオン／オフの組み合わせで共通エミッタとGNDとの間の定電流源のトータルの電流値が決まり、その電流値によって位相が変化する。すなわち、スイッチを制御する信号を外部から与えることにより、第3の差動信号の位相を調整して出力させることができる。
【００３６】
例えば、上記複数の定電流源として４個の定電流源を設け、この４個の定電流源の供給する電流の値の比が、電流値が最小の電流を供給する定電流源の電流の値を基準とし、これを「１」と表わしたときに、残る他の３個の定電流源の供給する電流の値の比が、最小の電流値の電流の「１」に対して「２」，「４」，「８」となるように、各定電流源の電流値を決めておく。すなわち各ビットに対応して定電流値に2進数の重みを設定すれば、４個の定電流源の組合せ方でトランジスタ１２ａ，１２ｂのエミッタの接続点に流れ込む電流値の大きさを、「１」から「１５」までの間の任意の値に変化させてその値に設定することができる。
【００３７】
すなわち、スイッチ４１１〜４１４の４個のスイッチのオン／オフの設定により、４個の定電流源の組合せ方を変えて上記のトランジスタ１２ａ，１２ｂのエミッタの接続点に流れ込む電流値の大きさを調整することによって、差動増幅器７１から出力される信号の位相の値を容易に微調整することができる。
【００３８】
より具体的に述べると、第４の差動信号（ＬＯＱＮ，ＬＯＱB）に対して、第３の差動信号（ＬＯＩＮ，ＬＯＩＢ）は、差動増幅器７１の出力として、信号の立上り及び立下り時間を可変することができ、これによって第４の差動信号（ＬＯＱＮ，ＬＯＱＢ）に対して第３の差動信号（ＬＯＩＮ，ＬＯＩＢ）の遅延量を制御することができる。そして、信号の遅延と位相は、比例関係にあるため、結果として第３の差動信号（ＬＯＩＮ，ＬＯＩB）の位相を制御することができる。
【００３９】
第４の差動信号信号及び第３の差動信号は、ＳＳＢミキサ回路３０に入力し、ベースバンド信号としてのＩ／Ｑ信号（ＩＮ，ＩＢ及びＱＮ，ＱＢ）とミキシングされて、上記位相調整によりディジタル変調回路の主特性である変調精度を最適な値に調整することができ、最適化されたディジタル変調出力（ＭＯＤ出力信号５７ａ，５７ｂ）が出力される。
【００４０】
なお、位相差が正確に９０度の位相差となるように位相調整されたかどうかの判定は、ＳＳＢミキサ回路３に接続される外部の測定器（図示せず）を用いて、ＳＳＢミキサ回路３の出力にSSBのスペクトルと搬送波周波数に対して鏡像関係にあるスペクトルが現われないように周波数スペクトルを見ながら、制御信号によってスイッチのオン／オフを設定して定電流値を調整することによって行う。
【００４１】
このような調整を行えば、第1の混合器及び第２の混合器に入力される第３の差動信号及び第４の差動信号の位相差が９０度となるように調節できる。
【００４２】
上述の実施例では、９０度位相回路は９０度の位相差を有する第１の差動信号及び第の差動信号を発生するとしたが、必ずしも正確に９０度である必要はない。位相調整回路が調整できる範囲で９０度との差異があってもよい。
【００４３】
また、上述の実施例では、定電流源を４個設けた場合について説明したが、この数は、どれだけ精度良く微調整するかによって決めればよくこの数は４個に限らない。
【００４４】
本実施例によれば、ディジタル変調回路の位相特性微調整のために変調出力を常にモニターしフィードバックする構成をとらなくとも、位相調整のため多くの時間をかけずに、設計通りの位相特性を容易に得ることができる。
【００４５】
上述のように、本実施例では、位相調整回路の定電流源の電流値をディジタル的に選択することによって利得を調整して振幅値を微調整し、ミキサにおける搬送波のタイミングが調整され、位相差が設定できる。
【００４６】
本実施例で用いる位相調整回路は、デスクリートなLC回路ではなく、半導体集積回路で構成されているから、回路面積を小さくできる。
本実施例のディジタル変調回路の場合は、LSIの製造段階だけでなく、変調回路の調整段階でも、位相差を調整できる。
【実施例２】
【００４７】
図４は、本発明のディジタル変調回路の第２の実施例の構成を示すブロック図である。
同図において、ディジタル変調回路は、９０度位相回路１０、位相調整回路２０２及びSSBミキサ回路３０を有する。９０度位相回路及びSSBミキサ回路は、第1の実施例のそれらと機能を有する。すなわち、９０度位相回路１０は、局部発振器（図示せず）から差動信号である局部発振信号Loをライン５０a及び５０bで受け、互いに９０度の位相差を有する２つの信号を位相調整回路２０２に供給する。
【００４８】
これら２つの信号の各々は差動出力信号で第１の差動信号POIN及びPOIBはライン５２a及び５２ｂ経由で、第２の差動信号POQN及びPOQBライン５１a及び５１ｂ経由で位相調整回路２０２に供給される。位相調整回路２０２は、第１の差動信号（POIN及びPOIB）及び第２の差動信号（POQN及びPOQB）を受け、ディジタル直交変調回路の変調精度がよくなるように位相差を調整して、それぞれ第３の差動信号LOIN及びLOIBをライン５４a及びライン５４bで、第４の差動信号LOQN及びLOQBをライン５３aおよびライン５４ｂで、SSBミキサ回路３０に供給する。
【００４９】
SSBミキサ回路は、ベースバンドI/Q信号すなわち同相変調信号を第５の差動信号IN及びIBとしてライン５６a及び５６ｂで、直交変調信号を第６の差動信号QN及びQBとしてライン５５aおよび５５b経由で受け、搬送波としての第３の差動信号（LOIN及びLOIB）及び第４の差動信号（LOQN及びLOQB）と乗算して、その結果を加算し、変調（MOD）出力を差動出力形式でライン５７a及びライン５７bに出力する。
【００５０】
図５は、第2の実施例で使用する位相調整回路の回路構成を示す図である。同図において、位相調整回路２０２は、９０度位相回路１０から出力される第１の差動信号（ＰＯＩＮ、ＰＯＩＢ）を入力しとし、第３の差動信号（ＬＯＩＮ５４ａ、ＬＯＩＢ５４ｂ）を出力する差動増幅器６０と、９０度位相回路１０から出力される第２の差動信号（ＰＯＱＮ，ＰＯＱＢ）を入力とし、第４の差動信号（ＬＯＱＮ５３ａ，ＰＯＱＢ５３ｂ）を出力する差動増幅器７２とから構成される。
【００５１】
位相調整回路２０２を構成する差動増幅器６０は、第１の実施例に示すものと同じであるのでその構成の説明は省略する。
【００５２】
他方の差動増幅器７２は、差動対であるトランジスタペア１２a、１２ｂは第1の実施例の位相調整回路２０１のトランジスタペアと同じであるが、結合エミッタとＧＮＤとの間に接続されている複数の定電流源３２１〜３２４のそれぞれの一端に１個ずつ直列にフューズ４２１〜４２４が接続されている点が異なる。すなわち第1の実施例の位相調整回路２０１の差動増幅器７１で用いられているスイッチの代わりにフューズ４２１〜４２４が接続されている。各定電流源の電流値については、実施例1のように各ビットに対応する定電流現に２進数の重みを付けた電流値の設定を行う。
【００５３】
フューズ４２１〜４２４は、位相調整回路２０２の差動増幅器７２の定電流値の調整のため選択的にトリミングされる。  従って、差動増幅器７２の場合は、第１の実施例の位相調整回路２０１の差動増幅器７１のような定電流源の指定のための複数のスイッチをそれぞれ外部から制御するための複数ビットで構成される制御信号を入力するための複数の端子はない構成となっている。
【００５４】
図５に示す位相調整回路２０２における差動増幅器６０の動作は、図２に示す位相調整回路２０１の差動増幅器６０の動作と同じであるので動作の説明は省略する。
【００５５】
他方、差動増幅器７２は、フューズ４２１〜４２４の中から切断の対象となるフューズが選択され、トリミングによって切断されて、位相の調整が可能な差動増幅器である。９０度位相回路１０から出力された第１の差動信号（ＰＯＩＮ，ＰＯＩＢ）は差動増幅器７２に入力し、増幅されて、第３の差動信号（ＬＯＩＮ， ＬＯＩＢ）としてＳＳＢミキサ回路３に供給される。差動増幅器６０から出力される第４の差動信号（ＬＯＱＮ， ＬＯＱＢ）の位相に対する第３の差動信号（ＬＯＩＮ， ＬＯＩＢ）の位相差を調整するためには、フューズ４２１〜４２４を選択的に切断して残ったフューズが接続されている定電流源から供給される電流の総和を調整して行う。
【００５６】
ＬＳＩの製造工程においてＳＳＢミキサ回路３０の出力のSSBのスペクトルと搬送波周波数に対して鏡像関係にあるスペクトルが現われないように周波数スペクトルを見ながら、第３の差動信号の位相が調整される。
【００５７】
本実施例によれば、ディジタル変調回路の位相特性微調整のために変調出力を常にモニターしフィードバックする構成をとらなくとも、位相調整のため多くの時間をかけずに、設計通りの位相特性を容易に得ることができる。
【００５８】
また、本実施例の場合、第１の実施例の位相調整回路を使用するディジタル変調回路の場合に必要であった、定電流源を選択するための複数ビットのスイッチ制御信号が必要でなく、また制御信号によりディジタル変調回路を制御するための制御部も必要とせず、且つ、この制御部とディジタル変調回路とを制御線で接続する必要がない。
【図面の簡単な説明】
【００５９】
【図１】本発明の第１の実施例のブロック図である。
【図２】本発明の第１の実施例に使用する位相調整回路の回路図である。
【図３】本発明の第１の実施例及び第２の実施例に使用するSSBミキサ回路である。
【図４】本発明の第２の実施例のブロック図である。
【図５】本発明の第２の実施例に使用する位相調整回路の回路図である。
【図６】従来技術のディジタル変調回路のブロック図である。
【符号の説明】
【００６０】
１０  ９０度位相回路
３０  SSBミキサ回路
３１  定電流源
６０  差動増幅器
７１，７２  差動増幅器
２０１、２０２  位相調整回路
３２１〜３２４  定電流源
４１１〜４１４  スイッチ
４２１〜４２２  フューズ
【図１】
2005184412.tif 000003
【図２】
2005184412.tif 000004
【図３】
2005184412.tif 000005
【図４】
2005184412.tif 000006
【図５】
2005184412.tif 000007
【図６】
2005184412.tif 000008